(57)【要約】【課題】  常時録画とイベント録画があり、常時録画によって、イベント録画が管理されていて、常時録画の記憶領域がいっぱいになったときの対応を行うことを目的とする。【解決手段】  監視ストレージ装置は、画像データを常時録画する手段と、イベントを検知する手段と、イベントが検知された時だけ、画像データをイベント録画として、常時録画と別の領域に記憶する手段と、常時録画から、管理データを作成する手段と、管理データによって、イベント録画の閲覧、再生、検索、編集を行うことのできる手段と、常時録画を記憶する領域がいっぱいになったときに、常時録画と管理データを古いものから上書きして保存する手段と、上書きによって消去された管理データに対応する、イベント録画を消去する手段とを有する監視ストレージシステム等、を提供する。【選択図】  図１
2006345165.tif 000002
【特許請求の範囲】
【請求項１】
ネットワークに接続され、複数の記憶領域を有し、同時に異なるデータを蓄積することが可能なストレージ装置と、撮影した動画、静止画像を前記ストレージ装置などに送るカメラと、前記ストレージ装置に蓄積されている画像を操作、表示する表示手段を有する表示装置とからなる監視ストレージシステムであって、
前記ストレージ装置は、前記カメラから送られてくる画像データを常時録画する録画手段と、イベントを検知する検知手段と、前記イベントが検知された際の画像をイベント録画として記憶するイベント録画記憶手段と、第１の記憶領域に前記録画手段で常時録画されたデータを記憶するデータ記憶手段と、前記常時録画されたデータから管理データを作成する管理データ作成手段と、前記管理データ作成手段で作成された管理データを前記第１の記憶領域に記憶する管理データ記憶手段と、前記イベント録画のデータを第２以降の記憶領域に記憶するイベント録画データ記憶手段と、前記常時録画されたデータから作成された管理データと、前記イベント録画のデータとを関連付ける関連付け手段と、前記管理データによって前記イベント録画のデータの閲覧、再生、検索、編集を行うことのできる閲覧手段と、前記第１の記憶領域の容量が所定の値に達したときに前記常時録画されたデータと前記管理データとを古いものから上書きして保存する保存手段と、前記上書きされる際に前記上書きによって消去された管理データに関連付けられた前記第２の記憶領域に記憶されたイベント録画のデータを消去する消去手段とを有することを特徴とする監視ストレージシステム。
【請求項２】
前記ストレージ装置は、前記第２以降の記憶領域を可搬型記憶媒体とし、複数の前記可搬型記憶媒体を装着する記憶媒体装着手段と、前記可搬型記憶媒体に前記イベント録画のデータを記憶する録画データ記憶手段と、前記可搬型記憶媒体を取り出す取り出し手段と、前記第１の記憶領域に前記常時録画されたデータと、前記常時録画されたデータから作成された管理データを記憶する記憶手段と、前記常時録画されたデータから作成された管理データと、前記イベント録画のデータとを関連付けるデータ関連付け手段と、前記第１の記憶領域の容量が上限に達したときに、前記常時録画データと管理データを古いものから上書きして保存する上書き保存手段と、前記上書きされる際に、前記上書きによって消去された管理データに関連付けられている、前記イベント録画のデータが入っている可搬型記憶媒体を通知する通知手段とを有することを特徴とする請求項１に記載の監視ストレージシステム。
【請求項３】
前記ストレージ装置は、前記第２以降の記憶領域を可搬型記憶媒体とし、複数の前記可搬型記憶媒体を装着する記憶媒体装着手段と、前記可搬型記憶媒体に前記イベント録画のデータを記憶する録画データ記憶手段と、前記可搬型記憶媒体を装着した際に、前記第１の記憶領域に記憶されている常時録画データと管理データを検索する検索手段と、前記イベント録画のデータに関連付けられている常時録画データと管理データが前記第１の記憶領域から消去されていた場合、前記イベント録画のデータを消去するデータ消去手段とを有することを特徴とする請求項１に記載の監視ストレージシステム。
【請求項４】
前記ストレージ装置は、前記第１の記憶領域の容量が上限に達したときに、前記常時録画されたデータと管理データを古いものから上書きして保存する上限時上書き保存手段と、前記上書きされる際に、前記常時録画データと管理データが、前記第２以降の記憶領域に記憶されているイベント録画データに関連付けられていない場合、前記常時録画されたデータと管理データを即座に消去する即消去手段と、前記常時録画データと管理データが、前記イベント録画のデータに関連付けられている場合、前記常時録画されたデータのみ消去し、前記イベント録画のデータに関連付けを行っている管理データは残して領域を空ける領域確保手段と、前記イベント録画のデータを消去するか否かを選択する選択手段と、前記消去する場合には、前記残した管理データをも消去して領域を空ける領域空け手段とを有することを特徴とする請求項１に記載の監視ストレージシステム。
【発明の詳細な説明】
【技術分野】
【０００１】
本発明は、管理データを用いてデータの管理を行い、また複数種類のデータを取り扱い、それぞれ別のエリアに記憶させ管理するストレージ装置と、データを記憶する可搬型記憶メディアの管理、さらに蓄積データの容量が上限に達した際の、データの同期と消去に関するものである。
【背景技術】
【０００２】
近年では、多くの画像データ、大容量なカラー動画像データ、その他さまざまな形式のマルチメディアデータを共有で利用するために保存、管理を行うストレージ装置が出てきている。このようなストレージ装置においては、データの管理や、閲覧、検索を容易に行うために、データに対して、管理情報データを持ち、この管理情報データを利用してデータの概要を把握したり、所望のデータを検索したり、また所望のデータを取り出したりといったことができるようになっている。さらに、ストレージ装置をネットワークで接続し、パーソナルコンピュータ（ＰＣ）などの装置からこのストレージ装置にアクセスして、管理情報データを利用する場合もある。この場合複数のユーザが管理情報データにアクセスすることもある。
【０００３】
また、このストレージ装置においては、従来固定型の記憶メディアを持ち、そこにデータを蓄積していたが、近年では、このストレージ装置に可搬型の記憶メディアのドライブを搭載することにより、可搬型記憶メディアを接続することにより大容量のデータを蓄積した際の、データ保存オーバーフローを防ぎ、また自由に、大容量のデータを持ち歩くことができるシステムを構築できる。
【０００４】
こうした構成においては、データ量の少ない管理データをストレージ装置側の記憶領域に保存し、データ量の大きい実データを可搬型記憶メディアに保存する場合が多い。こうすることによって、可搬型記憶メディアが取り外されている状態でも、管理データを利用してデータの概要を閲覧したり、検索を行ったりすることができ、またどの可搬型記憶メディアにデータが存在しているかを管理することができる。
【０００５】
このような状況における監視ストレージシステムにおいては、常時録画するデータと、なにかイベントが発生したときに録画するデータを別のエリアに記憶するものが出てきている。この場合、常時録画するデータは、解像度やフレームレートなどを落とすことによって、データ量を小さくし、長時間録画できるようにし、またイベント録画の場合には、解像度やフレームレートを高くし、短時間であるが、きれいな映像で取っておくといったシステムが多い。さらに、管理データを用いて、この常時録画データとイベント録画データを関連付け、表示装置において、所望のデータを取得できるようにしているものも多い。
【０００６】
こうしたシステムにおいては、常時録画データは、イベントが発生していない場合、必要のないデータであることが多く、記録された録画データは、一定時間、もしくは一定容量に達すると、上書き、消去してしまうことが多い。
【０００７】
【特許文献１】特開２００１−２３０９９８号公報
【特許文献２】特開２００３−０６９９８７号公報
【特許文献３】特開平１１−２５１１０号公報
【発明の開示】
【発明が解決しようとする課題】
【０００８】
しかしながら、前記従来の技術において、以下のような問題点があった。
常時録画データは、イベントが起こらない限りいらない場合が多く、設定された容量を越えた記録がある場合には、古いデータから上書きしてしまう場合が多い。このとき、この常時録画データに関連するイベント録画データも必要がなくなることが多いが、これは消去されず、残ってしまうので、このイベント録画データを記録する領域を効率的に使用することができなかった。
【０００９】
イベント録画データが可搬型記憶メディアに記録されていた場合、常時録画データが上書きされたことに連携して、イベント録画データを消去しようとした際、この可搬型記憶メディアが装着されていないと消去できなかった。また、これを装着した際に、手動でイベント録画データを消去しなければならず、手間がかかった。
イベント録画データが記録されている可搬型記憶メディアが装着されていない場合、そのイベント録画データを消去してよいかを判断することができないまま、関連する常時録画データを消去しなければならなかった。
【００１０】
本発明は前述の問題点にかんがみ、常時録画とイベント録画があり、常時録画によって、イベント録画が管理されていて、常時録画の記憶領域がいっぱいになったときの対応を行うことができるようにすることを目的としている。
【課題を解決するための手段】
【００１１】
本発明は前記問題点を解決することを目的としてなされたもので、ネットワークに接続され、複数の記憶領域を有し、同時に異なるデータを蓄積することが可能なストレージ装置と、撮影した動画、静止画像を前記ストレージ装置などに送るカメラと、前記ストレージ装置に蓄積されている画像を操作、表示する表示手段を有する表示装置とからなる監視ストレージシステムであって、前記ストレージ装置は、前記カメラから送られてくる画像データを常時録画する録画手段と、イベントを検知する検知手段と、前記イベントが検知された際の画像をイベント録画として記憶するイベント録画記憶手段と、第１の記憶領域に前記録画手段で常時録画されたデータを記憶するデータ記憶手段と、前記常時録画されたデータから管理データを作成する管理データ作成手段と、前記管理データ作成手段で作成された管理データを前記第１の記憶領域に記憶する管理データ記憶手段と、前記イベント録画のデータを第２以降の記憶領域に記憶するイベント録画データ記憶手段と、前記常時録画されたデータから作成された管理データと、前記イベント録画のデータとを関連付ける関連付け手段と、前記管理データによって前記イベント録画のデータの閲覧、再生、検索、編集を行うことのできる閲覧手段と、前記第１の記憶領域の容量が所定の値に達したときに前記常時録画されたデータと前記管理データとを古いものから上書きして保存する保存手段と、前記上書きされる際に前記上書きによって消去された管理データに関連付けられた前記第２の記憶領域に記憶されたイベント録画のデータを消去する消去手段とを有することを特徴とする監視ストレージシステム等を提供する。
【発明の効果】
【００１２】
本発明によれば、以上のような構成において、常時録画データの記録領域がいっぱいになり、古いデータから上書き消去をした際に、それに関連し、不必要となったイベント録画データも自動的に消去することができる。
【００１３】
また、この消去の際に、対象となるイベント録画データが記録されている可搬型記憶メディアが装着されていなかった場合にも、どの可搬型記憶メディアに対象となるイベント録画データが入っているかを知ることができ、この可搬型記録メディアを挿入することにより、自動的に不要なイベント録画データを消去することができる。
【００１４】
さらに、イベント録画データの記録されている可搬型記憶メディアが装着されていない場合にも、そのイベント録画データが必要かどうか判断することができ、その上でイベント録画データのみ残しておきたい場合には、その管理データを残すことによって、検索や、そのファイルの呼び出しを行うことができるようにした上で、常時録画データの領域を空けることができる。
【発明を実施するための最良の形態】
【００１５】
（第１の実施の形態）
以下に図面を参照して、本発明に係わる発明の実施の形態の一例を説明する。
本実施の形態では、ＬＡＮに接続されている監視ストレージ装置とそのＬＡＮにて接続されるカメラ装置、および監視ストレージ装置を操作し、録画されている映像を表示する操作、表示装置からなるシステムで説明する。
【００１６】
（システム構成）
図１は、本実施の形態で想定するシステムの構成を示す図である。
図１において、１０１は、システムディスク２０４を持ち、リムーバブルディスク（以下  Ｒ−ＨＤ）１０２を接続するドライブを持ち、ＬＡＮ１０５を介して、カメラ装置１０３より映像データを受信し、さらに映像データの蓄積管理を行う機能、操作、表示装置１０４に映像データを配信して表示させる機能を持つ監視ストレージ装置である。１０２は、監視ストレージ装置１０１に装着され、蓄積すべき映像データを記録する脱着可能なＲ−ＨＤ１０２である。１０３―１、２、３は、ＬＡＮ１０７に接続され、ストレージ装置に映像データを配信するカメラ装置であり、１０４は監視ストレージ装置１０１の操作を行ったり、蓄積された映像データを表示したりするＰＣなどの操作、表示装置、１０５は、各装置との通信を行うＬＡＮなどの回線である。
【００１７】
図２は、本実施の形態における監視ストレージ装置１０１のハード構成を示す図である。
図２において、２０１は中央制御部（ＣＰＵ）、２０２はＲＯＭ、２０３はＲＡＭである。２０４は、監視ストレージ装置１０１のデバイス情報や設定情報を記憶するシステムデータ記憶部で後述するシステムディスク６０１内にある。
【００１８】
２０５は、監視ストレージ装置１０１の管理するリムーバブルディスクのデバイス情報や設定情報を記憶するリムーバブルディスク管理情報記憶部であり、前記システムディスク６０１内にある。２０６は、操作情報を表示するディスプレイなどの表示部である。２０７は、ユーザからの操作情報を入力するキーボードやボタン、タッチパネルなどのユーザＩ／Ｆである。
【００１９】
２０８は、各Ｒ−ＨＤのイベント映像データに対する管理データを保存しておく管理データ記憶部であり、前記システムディスク６０１内にある。２０９は、常時録画映像データを記録する常時録画映像データ記録部で、前記システムディスク６０１内にある。２１０は、カメラから送られてきた映像データを、常時録画用に解像度やフレームレートなどを変換する画像データ変換部である。
【００２０】
２１１は、イベント映像データに対する管理データを作成する管理データ作成部である。２１２は、外部からのイベントや、画像データ変換部２１０にて画像解析を行った際に、検知されるイベントを検知するイベント検知部である。２１３は、管理データを登録するデータベースを含み、検索などを行うデータベース制御部である。
【００２１】
２１４は、Ｒ−ＨＤの挿抜や、データの読み書きを行うリムーバブルディスクＩ／Ｆ部である。２１５は、ＬＡＮ１０５と接続し、カメラ装置１０３からの映像データを受けたり、操作、表示装置１０４に映像データを配信したりする通信制御部である。２１６は、内部バスである。
【００２２】
図３は、本実施の形態におけるＲ−ＨＤ１０２のハード構成を示す図である。
図３において、３０１はＲＯＭで、Ｒ−ＨＤのシリアル番号などの情報が設定されている。３０２は、保存するイベント録画データを蓄積するデータ記録部であり、３０３は、監視ストレージ装置１０１から設定されるデータや情報を保存するＲ−ＨＤ設定データ記憶部である。また、３０４は、ストレージ装置とのＩ／Ｆ部であり、３０５は内部バスである。
【００２３】
図４は、本実施の形態におけるカメラ装置１０３のハード構成を示す図である。
図４において、４０１は中央制御部（ＣＰＵ）、４０２はＲＯＭ、４０３はＲＡＭである。４０４は、映像を撮影する撮影部である。４０５は、撮影されたデータの圧縮や、解像度、フレームレート変換などを行い、データ送信に適切な画像に変換する画像データ変換部である。
【００２４】
４０６は、映像データを監視ストレージ装置１０１に送信する画像データ送信部である。４０７は、監視ストレージ装置１０１を認識し、接続を行うストレージ装置アクセス部である。４０８は、ＬＡＮ１０５と接続し、監視ストレージ装置１０１などとコマンドのやり取りを行う通信制御部である。また、４０９は内部バスである。
【００２５】
図５は、本実施の形態における操作、表示装置のハード構成を示す図である。
図５において、５０１は中央制御部（ＣＰＵ）、５０２はＲＯＭ、５０３はＲＡＭである。５０４は、監視ストレージ装置１０１の操作を行う操作アプリ部である。５０５は、配信された映像データを表示するディスプレイなどの表示部である。
【００２６】
５０６は、ユーザからの操作情報を入力するキーボードやボタン、タッチパネルなどのユーザＩ／Ｆである。５０７は、監視ストレージ装置１０１を認識し、接続を行うストレージ装置アクセス部である。５０８は、操作する監視ストレージ装置１０１の情報を管理するストレージ装置管理部である。５０９は、ＬＡＮ１０５と接続し、監視ストレージ装置１０１などとコマンドのやり取りを行う通信制御部である。５１０は内部バスである。
【００２７】
図６は、本実施の形態における監視ストレージ装置１０１とＲ−ＨＤの記憶領域の構成を示す図である。
図６において、監視ストレージ装置１０１のシステムディスク６０１内には、システムデータ２０４と、Ｒ−ＨＤ内に記録されるイベント録画データ３０３を管理する管理データ２０８、さらに通常録画データ２０９が存在している。
【００２８】
図７は、本実施の形態におけるデータ作成、記録フローを示す図である。
図７において、カメラ装置１０３から映像データを受信すると、監視ストレージ装置１０１内の画像データ変換部２１０にて、解像度やフレームレートが変換され、受信映像データよりデータ量の少ない常時録画映像データが作成される。そしてこの常時録画映像データは、システムディスク６０１内の常時録画映像データ記録部に記録される。そこにイベント検知部２１２にてイベントを検知した際、その部分の受信した映像データを、イベント録画データとしてＲ−ＨＤ１０２に記録するとともに、画像データ変換部２１０にて画像解析を行った際に、検知されるタイムスタンプやフレームの情報などから管理データ作成部２１１にて管理データを作成し、常時録画映像データと共に、システムディスク６０１内に記録される。
【００２９】
図８は、本実施の形態における常時録画映像データの表示を示す図である。
図８に示すように、カメラ装置１０３−１、２、３より送られてきた映像データに対応する常時録画映像データを、操作、表示装置１０４の表示部５０５にて、動画表示を行っている。
【００３０】
図９は、本実施の形態における常時録画映像データとイベント映像データの関連を示す図である。
図９に示すように、図８にて表示している常時録画映像データにおいて、イベント録画が発生している場合、その表示が行われ、ユーザＩ／Ｆ５０６からの操作により、イベント録画映像データを監視ストレージ装置１０１から呼び出し、再生させることができる。
【００３１】
図１０は、本実施の形態における管理データのイベント映像データ管理を示す図である。
図１０に示すように、それぞれのイベント映像データのＩＤ、撮影したカメラ装置、開始時間、終了時間、それと対応する常時録画映像データが記録されていて、表示部５０５に表示することもでき、さらに、ユーザＩ／Ｆ５０５の操作により、イベント映像データを監視ストレージ装置１０１から呼び出し、再生させることができる。
【００３２】
図１１は、本実施の形態における常時録画映像データの記録方式を示す図である。
図１１に示すように、カメラ装置１０３から順次送られてくる映像データを変換した常時録画映像データを、常時録画映像データ記録部２０９に順次記録していき、該記録領域がいっぱいになった際には、古い常時録画映像データから順次、上書きしていく。
【００３３】
以下、本システムの具体的な動作をいくつかの場合に分けて説明を行う。
図１２は、本実施の形態に関わる映像データ録画動作手順を示すフローチャートである。
【００３４】
まず、カメラ１０３から映された映像データを受信すると（ステップＳ１２０１）、画像データ変換部２１０にて通常録画データ用に解像度やフレームレートを変換して常時録画データを作成し（ステップＳ１２０２）、常時録画映像データ記録部２０９にデータの記録を行う（ステップＳ１２０３）。
【００３５】
次に、イベント検知部２１２にてイベントが起こったか否かを判断し（ステップＳ１２０４）、イベントが起こったと判断したら、イベント録画データをＲ−ＨＤ１０２のデータ記録部３０２に記録する（ステップＳ１２０５）。
【００３６】
次に、管理データ作成部２１１にて、図７に示すように常時録画データに関連した管理データを作成し（ステップＳ１２０６）、図１０に示すような管理データの関連テーブルにて、イベント録画データとの関連テーブルを作成し（ステップＳ１２０７）、管理データ記憶部２０８に記録する（ステップＳ１２０８）。
【００３７】
次に、イベント検知部２１２にてイベントが終了したか否かを判断する（ステップＳ１２０９）。この判断の結果、終了したと判断したら、イベント録画データの記録を停止する（ステップＳ１２１０）。また、ステップＳ１２０９の判断の結果、終了していないと判断したならば、ステップＳ１２０５の処理へ戻る。
【００３８】
これによって、Ｒ−ＨＤ１０２にイベント録画データを記録し、さらにそれを管理データによって、監視ストレージ装置１０１にて管理を行うことができ、また、通常録画データも監視ストレージ装置１０１内に蓄積することができる。
【００３９】
図１３は、本実施の形態に関わるイベント映像データ再生動作手順を示すフローチャートである。
まず、操作、表示装置１０４にて、監視ストレージ装置１０１にアクセスし、常時録画データが表示されているか否かを判断し（ステップＳ１３０１）、表示されていると判断したら、図８に示すように常時録画データが表示させる（ステップＳ１３０２）。
【００４０】
次に、図９に示すようにイベント録画ありのステータスで、イベント録画データが選択されているか否かを判断し（ステップＳ１３０３）、選択されていると判断したら、対応するイベント録画データが入っているＲ−ＨＤ１０２が装着されているかを確認する（ステップＳ１３０４）。この確認の結果、装着されていなければ、装着するように警告を出し、装着させる（ステップＳ１３０５）。
【００４１】
そして、関連するイベント録画データをデータ記録部３０２から呼び出し（ステップＳ１３０６）、選択した際のフレームまで再生フレームをスキップさせ（ステップＳ１３０７）、イベント録画データを再生させ、表示部５０５に表示させる（ステップＳ１３１０）。
【００４２】
また、ステップＳ１３０１の判断の結果、常時録画データが表示されていなければ、イベント管理データを表示させる命令があるか否かを判断し（ステップＳ１３０８）、表示させる命令があれば、図１０に示すようなイベント管理データのテーブルを表示させる（ステップＳ１３０９）。
【００４３】
次に、イベント録画データの選択が行われるか否かを判断し（ステップＳ１３１０）、選択が行われると判断したら、対応するイベント録画データが入っているＲ−ＨＤ１０２が装着されているかを確認する（ステップＳ１３１１）。装着されていなければ、装着するように警告を出し、装着させる（ステップＳ１３１２）。そして、関連するイベント録画データをデータ記録部３０２から呼び出し（ステップＳ１３１３）、イベント録画データを再生させ、表示部５０５に表示させる（ステップＳ１３１０）。
【００４４】
操作、表示装置１０４からのアクセスが終了するまで、この操作を繰り返す（ステップＳ１３１５）。これによって、通常録画データ、および管理データによって、イベント録画データの管理、再生を行うことができる。
【００４５】
図１４は、本実施の形態に関わる映像データ消去動作手順を示すフローチャートである。
まず、カメラ１０３から映された映像データを受信すると（ステップＳ１４０１）、画像データ変換部２１０にて通常録画データ用に解像度やフレームレートを変換して常時録画データを作成する（ステップＳ１４０２）。
【００４６】
次に、常時録画映像データ記録部２０９がいっぱいであるかを確認し（ステップＳ１４０３）、いっぱいの場合は、データベース制御部２１３にて一番古い常時録画データを検索する（ステップＳ１４０４）。また、いっぱいでなければ、ステップＳ１４１４の処理へジャンプする。
【００４７】
次に、管理データを利用して、それに対応するイベント録画データを検索する（ステップＳ１４０５）。そして、対応するイベント録画データがあった否かを判断し（ステップＳ１４０６）、なければステップＳ１４１３の処理へジャンプし、あるならば、リムーバブルディスク管理情報記憶部２０５にて、そのイベント録画データの記録されているＲ−ＨＤが装着されているかを確認する（ステップＳ１４０７）。
【００４８】
この確認の結果、装着されていれば、まず常時録画映像データ記録部２０９より、一番古い通常録画データを消去する（ステップＳ１４０８）。次に、対応するイベント録画データを消去するか否かを判断し（ステップＳ１４０９）、消去する場合は、Ｒ−ＨＤ１０２のデータ記録部３０３よりイベント録画データを消去し（ステップＳ１４１０）、対応する管理データを管理データ記憶部２０８より消去し（ステップＳ１４１１）、ステップＳ１４１４へ進む。また、ステップＳ１４０９の判断の結果、消去しないならば、ステップＳ１４１４の処理へジャンプする。
【００４９】
また、ステップＳ１４０７の確認の結果、そのイベント録画データの記録されているＲ−ＨＤが装着されていなければ、そのＲ−ＨＤを通知し（ステップＳ１４１２）、常時録画映像データ記録部２０９より、一番古い通常録画データを消去する（ステップＳ１４１３）。そして、受信した常時録画データを常時録画映像データ記録部２０９に記録する（ステップＳ１４１４）。
【００５０】
そして、Ｒ−ＨＤが装着されたか否かを判断し（ステップＳ１４１５）、装着されていれば、記録されているイベント録画データに対応する常時録画データを、管理データ、データベースを使用して検索する（ステップＳ１４１６）。次に、常時録画データがあるか否かを判断し（ステップＳ１４１７）、常時録画データがなかったらイベント録画データを消去するかを選択し（ステップＳ１４０９）、消去する場合、Ｒ−ＨＤ１０２のデータ記録部３０３よりイベント録画データを消去し（ステップＳ１４１０）、対応する管理データを管理データ記憶部２０８より消去する（ステップＳ１４１１）。
【００５１】
これによって、常時録画の記録エリアがいっぱいになった際に、常時録画データの古いものから消去し、新しいデータを書き込むことができると共に、それに関連しているイベント録画データと、その管理データも消去することができる。また、対応するイベント録画データが格納されているＲ−ＨＤがはずされている場合でも、その旨を通知することができ、その後、該Ｒ−ＨＤを装着した際に、該当するイベント録画データを消去することができる。さらに、イベント録画データを残したい場合には、その管理データのみ残して、常時録画データを消去し、システムディスクの領域を空けることができる。
【００５２】
本実施の形態では、可搬型記憶メディアをＲ−ＨＤとしていたが、これが光ディスクなどでもよい。また、第２の記憶領域固定ディスクを利用してもよいし、また１つのディスクにおいてパーティションをきって、常時録画データとイベント録画データを記録してもよい。さらに、本実施の形態では、操作を操作、表示装置１０４にて行い、データ表示操作を行っているが、ストレージ装置１０１のユーザＩ／Ｆ、表示部２０６を利用して行ってもよい。
【００５３】
（本発明に係る他の実施の形態）
前述した本発明の実施の形態における監視ストレージ装置を構成する各手段、並びに監視ストレージシステムの各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５４】
また、本発明は、例えば、システム、装置、方法、プログラムもしくは記録媒体等としての実施の形態も可能であり、具体的には、複数の機器から構成されるシステムに適用してもよいし、また、一つの機器からなる装置に適用してもよい。
【００５５】
なお、本発明は、前述した実施の形態の機能を実現するソフトウェアのプログラム（実施の形態では図１２〜１４に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００５６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５７】
その場合、プログラムの機能を有していれば、オブジェクトコード、インタプリタにより実行されるプログラム、ＯＳに供給するスクリプトデータ等の形態であってもよい。
【００５８】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【００５９】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００６０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６１】
また、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６２】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００６３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００６４】
【図１】本発明の実施の形態におけるシステム構成を示す図である。
【図２】本発明の実施の形態における監視ストレージ装置のハード構成を示す図である。
【図３】本発明の実施の形態におけるＲ-ＨＤの構成を示す図である。
【図４】本発明の実施の形態におけるカメラ装置のハード構成を示す図である。
【図５】本発明の実施の形態における操作、表示装置のハード構成を示す図である。
【図６】本発明の実施の形態におけるストレージ装置とＲ−ＨＤの記憶領域の構成を示す図である。
【図７】本発明の実施の形態におけるデータ作成、記録フローを示す図である。
【図８】本発明の実施の形態における常時録画映像データ表示図である。
【図９】本発明の実施の形態における常時録画映像データとイベント映像データの関連を示す図である。
【図１０】本発明の実施の形態における管理データのイベント映像データ管理を示す図である。
【図１１】本発明の実施の形態における常時録画映像データの記録方式を示す図である。
【図１２】本発明の実施の形態における映像データ録画動作手順を示すフローチャートである。
【図１３】本発明の実施の形態におけるイベント映像データ再生動作手順を示すフローチャートである。
【図１４】本発明の実施の形態における映像データ消去動作手順を示すフローチャートである。
【符号の説明】
【００６５】
１０１  監視ストレージ装置
１０２  リムーバブルディスク、
１０３  カメラ装置、
１０４  操作、表示装置、
１０５  ＬＡＮ
【図１】
2006345165.tif 000003
【図２】
2006345165.tif 000004
【図３】
2006345165.tif 000005
【図４】
2006345165.tif 000006
【図５】
2006345165.tif 000007
【図６】
2006345165.tif 000008
【図７】
2006345165.tif 000009
【図８】
2006345165.tif 000010
【図９】
2006345165.tif 000011
【図１０】
2006345165.tif 000012
【図１１】
2006345165.tif 000013
【図１２】
2006345165.tif 000014
【図１３】
2006345165.tif 000015
【図１４】
2006345165.tif 000016